(57)【要約】  本発明は、制御装置がネットワーク全体のトポロジーを把握するのに要する時間を短縮し、トポロジー把握に必要な制御情報の送受信負荷を低減する。通信システムは、複数の転送ノードと複数の転送ノードを制御する制御装置から成る一群のノードを備え、複数の転送ノードは、一群のノードのうちの少なくとも一部のノードと自ノードとの接続関係を第１のトポロジー情報として保持し、第１のトポロジー情報を一群のノードのうちの自ノードに隣接するノードに通知し、第１のトポロジー情報を制御装置に通知し、制御装置は、複数の転送ノードから通知された複数の第１のトポロジー情報を統合して第２のトポロジー情報を生成し、第２のトポロジー情報に基づいて制御装置から各転送ノードへの経路を求め、求めた経路に沿って各転送ノードを制御するための制御チャネルを確立する。
2014136850.tif 000002
【特許請求の範囲】
【請求項１】
複数の転送ノードと前記複数の転送ノードを制御する制御装置から成る一群のノードを備えた通信システムであって、
前記複数の転送ノードは、前記一群のノードのうちの少なくとも一部のノードと自ノードとの接続関係を第１のトポロジー情報として保持するトポロジー保持部と、
前記第１のトポロジー情報を前記一群のノードのうちの自ノードに隣接するノードに通知するトポロジー通知部と、
前記第１のトポロジー情報を前記制御装置に通知するインバンド通信部と、を有し、
前記制御装置は、前記複数の転送ノードから通知された複数の前記第１のトポロジー情報を統合して第２のトポロジー情報を生成するトポロジー構成部と、
前記第２のトポロジー情報に基づいて前記制御装置から各転送ノードへの経路を求め、求めた経路に沿って前記各転送ノードを制御するための制御チャネルを確立するインバンド制御部と、を有する、通信システム。
【請求項２】
前記トポロジー保持部は、前記複数の転送ノードのうちの自ノードに隣接するノードから受信した前記第１のトポロジー情報に基づいて、自身が保持する前記第１のトポロジー情報を更新する、請求項１に記載の通信システム。
【請求項３】
前記トポロジー保持部は、前記一群のノードのうちの自ノードからのホップ数が所定のホップ数以内のノードと自ノードとの接続関係を前記第１のトポロジー情報として保持する、請求項２に記載の通信システム。
【請求項４】
前記トポロジー通知部は、前記第１のトポロジー情報を前記一群のノードのうちの自ノードに隣接するノードに通知する条件として、前記トポロジー保持部が保持する前記第１のトポロジー情報が更新されたこと、更新されてから所定の期間が経過したこと、前回の通知から所定の期間が経過したこと、または、これらの組み合わせのいずれかを用いる、請求項２に記載の通信システム。
【請求項５】
前記制御装置は、前記制御チャネルを介して、前記複数の転送ノードに対して前記所定のホップ数を指示する条件指示部をさらに有する、請求項３に記載の通信システム。
【請求項６】
前記制御装置は、前記制御チャネルを介して、前記複数の転送ノードに対して前記条件を指示する条件指示部をさらに有する、請求項４に記載の通信システム。
【請求項７】
制御装置によって制御される複数の転送ノードのうちの一の転送ノードであって、
前記制御装置と前記複数の転送ノードから成る一群のノードのうちの少なくとも一部のノードと自ノードとの接続関係を第１のトポロジー情報として保持するトポロジー保持部と、
前記第１のトポロジー情報を前記一群のノードのうちの自ノードに隣接するノードに通知するトポロジー通知部と、
前記第１のトポロジー情報を前記制御装置に通知するインバンド通信部と、備える、転送ノード。
【請求項８】
前記トポロジー保持部は、前記複数の転送ノードのうちの自ノードに隣接するノードから受信した前記第１のトポロジー情報に基づいて、自身が保持する前記第１のトポロジー情報を更新する、請求項７に記載の転送ノード。
【請求項９】
前記トポロジー保持部は、前記一群のノードのうちの自ノードからのホップ数が所定のホップ数以内のノードと自ノードとの接続関係を前記第１のトポロジー情報として保持する、請求項８に記載の転送ノード。
【請求項１０】
前記トポロジー通知部は、前記第１のトポロジー情報を前記一群のノードのうちの自ノードに隣接するノードに通知する条件として、前記トポロジー保持部が保持する前記第１のトポロジー情報が更新されたこと、更新されてから所定の期間が経過したこと、前回の通知から所定の期間が経過したこと、または、これらの組み合わせのいずれかを用いる、請求項８に記載の転送ノード。
【請求項１１】
前記制御チャネルを介して、前記制御装置による前記所定のホップ数の指示を受ける、請求項９に記載の転送ノード。
【請求項１２】
前記制御チャネルを介して、前記制御装置による前記条件の指示を受ける、請求項１０に記載の転送ノード。
【請求項１３】
複数の転送ノードを制御する制御装置であって、
前記複数の転送ノードは、前記複数の転送ノードと前記制御装置から成る一群のノードのうちの少なくとも一部のノードと自ノードとの接続関係を第１のトポロジー情報として保持し、前記第１のトポロジー情報を前記一群のノードのうちの自ノードに隣接するノードと前記制御装置に通知し、
前記制御装置は、前記複数の転送ノードから通知された複数の前記第１のトポロジー情報を統合して第２のトポロジー情報を生成するトポロジー構成部と、
前記第２のトポロジー情報に基づいて前記制御装置から各転送ノードへの経路を求め、求めた経路に沿って前記各転送ノードを制御するための制御チャネルを確立するインバンド制御部と、を備える、制御装置。
【請求項１４】
前記複数の転送ノードは、前記複数の転送ノードのうちの自ノードに隣接するノードから受信した前記第１のトポロジー情報に基づいて、自身が保持する前記第１のトポロジー情報を更新する、請求項１３に記載の制御装置。
【請求項１５】
前記複数の転送ノードは、前記一群のノードのうちの自ノードからのホップ数が所定のホップ数以内のノードと自ノードとの接続関係を前記第１のトポロジー情報として保持する、請求項１３に記載の制御装置。
【請求項１６】
前記複数の転送ノードは、前記第１のトポロジー情報を前記一群のノードのうちの自ノードに隣接するノードに通知する条件として、前記トポロジー保持部が保持する前記第１のトポロジー情報が更新されたこと、更新されてから所定の期間が経過したこと、前回の通知から所定の期間が経過したこと、または、これらの組み合わせのいずれかを用いる、請求項１４に記載の制御装置。
【請求項１７】
前記制御チャネルを介して、前記複数の転送ノードに対して前記所定のホップ数を指示する条件指示部をさらに備える、請求項１５に記載の制御装置。
【請求項１８】
前記制御チャネルを介して、前記複数の転送ノードに対して前記条件を指示する条件指示部をさらに備える、請求項１６に記載の制御装置。
【請求項１９】
複数の転送ノードを制御装置によって制御する制御方法であって、
前記複数の転送ノードが、前記複数の転送ノードと前記制御装置から成る一群のノードのうちの少なくとも一部のノードと自ノードとの接続関係を第１のトポロジー情報として保持する工程と、
前記第１のトポロジー情報を前記一群のノードのうちの自ノードに隣接するノードに通知する工程と、
前記第１のトポロジー情報を前記制御装置に通知する工程と、
前記制御装置が、前記複数の転送ノードから通知された複数の前記第１のトポロジー情報を統合して第２のトポロジー情報を生成する工程と、
前記第２のトポロジー情報に基づいて前記制御装置から各転送ノードへの経路を求める工程と、
求めた経路に沿って前記各転送ノードを制御するための制御チャネルを確立する工程と、を含む、制御方法。
【請求項２０】
前記複数の転送ノードが、前記複数の転送ノードのうちの自ノードに隣接するノードから受信した前記第１のトポロジー情報に基づいて、自身が保持する前記第１のトポロジー情報を更新する工程を含む、請求項１９に記載の制御方法。
【請求項２１】
前記複数の転送ノードは、前記一群のノードのうちの自ノードからのホップ数が所定のホップ数以内のノードと自ノードとの接続関係を前記第１のトポロジー情報として保持する、請求項２０に記載の制御方法。
【請求項２２】
前記複数の転送ノードは、前記第１のトポロジー情報を前記一群のノードのうちの自ノードに隣接するノードに通知する条件として、前記トポロジー保持部が保持する前記第１のトポロジー情報が更新されたこと、更新されてから所定の期間が経過したこと、前回の通知から所定の期間が経過したこと、または、これらの組み合わせのいずれかを用いる、請求項２０に記載の制御方法。
【請求項２３】
制御装置によって制御される複数の転送ノードのうちの一の転送ノードが、
前記制御装置と前記複数の転送ノードから成る一群のノードのうちの少なくとも一部のノードと自ノードとの接続関係を第１のトポロジー情報として保持する工程と、
前記第１のトポロジー情報を前記一群のノードのうちの自ノードに隣接するノードに通知する工程と、
前記第１のトポロジー情報を前記制御装置に通知する工程と、含む、制御方法。
【請求項２４】
複数の転送ノードを制御する制御装置が、
前記複数の転送ノードから通知された複数の第１のトポロジー情報を統合して第２のトポロジー情報を生成する工程と、
前記第２のトポロジー情報に基づいて前記制御装置から各転送ノードへの経路を求め、求めた経路に沿って前記各転送ノードを制御するための制御チャネルを確立する工程と、を含み、
前記複数の転送ノードは、前記複数の転送ノードと前記制御装置から成る一群のノードのうちの少なくとも一部のノードと自ノードとの接続関係を前記第１のトポロジー情報として保持し、前記第１のトポロジー情報を前記一群のノードのうちの自ノードに隣接するノードと前記制御装置に通知する、制御方法。
【請求項２５】
制御装置によって制御される複数の転送ノードのうちの一の転送ノードに設けられたコンピュータに対して、
前記制御装置と前記複数の転送ノードから成る一群のノードのうちの少なくとも一部のノードと自ノードとの接続関係を第１のトポロジー情報として保持する処理と、
前記第１のトポロジー情報を前記一群のノードのうちの自ノードに隣接するノードに通知する処理と、
前記第１のトポロジー情報を前記制御装置に通知する処理と、を実行させる、プログラム。
【請求項２６】
複数の転送ノードを制御する制御装置に設けられたコンピュータに対して、
前記複数の転送ノードから通知された複数の第１のトポロジー情報を統合して第２のトポロジー情報を生成する処理と、
前記第２のトポロジー情報に基づいて前記制御装置から各転送ノードへの経路を求め、求めた経路に沿って前記各転送ノードを制御するための制御チャネルを確立する処理と、を実行させ、
前記複数の転送ノードは、前記複数の転送ノードと前記制御装置から成る一群のノードのうちの少なくとも一部のノードと自ノードとの接続関係を前記第１のトポロジー情報として保持し、前記第１のトポロジー情報を前記一群のノードのうちの自ノードに隣接するノードと前記制御装置に通知する、プログラム。
【発明の詳細な説明】
【技術分野】
【０００１】
（関連出願についての記載）
本発明は、日本国特許出願：特願２０１３−０４３９０８号（２０１３年０３月０６日出願）の優先権主張に基づくものであり、同出願の全記載内容は引用をもって本書に組み込み記載されているものとする。
本発明は、通信システム、制御装置、転送ノード、制御方法およびプログラムに関し、特に、制御装置が制御情報を用いて、ネットワークに配置された転送ノードを集中管理し、転送ノード間の接続状態を把握するように構成された通信システム、かかる通信システムにおける制御装置および転送ノード、ならびに、通信システムの制御方法およびプログラムに関する。
【背景技術】
【０００２】
制御装置が転送ノードを集中制御する通信システムとして、オープンフロー（OpenFlow）という技術が知られている（特許文献１、非特許文献１、２）。オープンフローでは、通信をエンドツーエンドのフローとして捉え、フロー単位で経路制御、障害回復、負荷分散、最適化を行う。非特許文献２に仕様化されているオープンフロースイッチは、制御装置と位置付けられるオープンフローコントローラとの通信用のセキュアチャネルを備え、オープンフローコントローラから適宜追加または書き換えを指示されるフローテーブルに従って動作する。フローテーブルには、フロー毎に、パケットヘッダと照合するマッチングルール（ヘッダフィールド）と、フロー統計情報（Counters）と、処理内容を定義したアクション（Actions）と、の組が定義される。【０００３】
例えば、オープンフロースイッチは、パケットを受信すると、フローテーブルから、受信パケットのヘッダ情報に適合するマッチングルールを持つエントリを検索する。検索の結果、受信パケットに適合するエントリが見つかった場合、オープンフロースイッチは、フロー統計情報（カウンタ）を更新するとともに、受信パケットに対して、当該エントリのアクションフィールドに記述された処理内容（指定ポートからのパケット送信、フラッディング、廃棄など）を実施する。一方、検索の結果、受信パケットに適合するエントリが見つからなかった場合、オープンフロースイッチは、セキュアチャネルを介して、オープンフローコントローラに対して受信パケットを転送し、受信パケットの送信元・送信先に基づいたパケットの経路の決定を依頼し、これを実現するフローエントリを受け取ってフローテーブルを更新する。このように、オープンフロースイッチは、フローテーブルに格納されたエントリを処理規則として用いてパケット転送を行う。【０００４】
非特許文献３には、オープンフローネットワークにおけるセキュアチャネルを、特殊フレームとソースルーティングを用いて実ネットワーク上に構築する技術が記載されている。以下では、実ネットワーク上に構築された制御チャネルを「インバンド・セキュアチャネル」という。
【先行技術文献】
【特許文献】
【０００５】
【特許文献１】国際公開第２００８／０９５０１０号
【非特許文献】
【０００６】
【非特許文献１】Nick McKeownほか7名、"OpenFlow: Enabling Innovation in Campus Networks"、[online]、［平成２５（２０１３）年３月４日検索］、インターネット<URL: http://www.openflow.org/documents/openflow-wp-latest.pdf>
【非特許文献２】"OpenFlow Switch Specification" Version 1.1.0. (Wire Protocol 0x02) 、[online]、［平成２５（２０１３）年３月４検索］、インターネット<URL:http://www.openflow.org/documents/openflow-spec-v1.1.0.pdf>
【非特許文献３】小出俊夫、下西英之、「OpenFlowネットワークにおける制御ネットワークの構築自動化に関する一検討」、信学技報、社団法人電子情報通信学会、ＮＳ２００９−１６５（２０１０−３）、Ｖｏｌ．１０９、Ｎｏ．４４８、ｐｐ．１９−２４、２０１０年３月
【発明の概要】
【発明が解決しようとする課題】
【０００７】
上記の特許文献および非特許文献の全開示内容は、本書に引用をもって繰り込み記載されているものとする。以下の分析は、本発明者によってなされたものである。【０００８】
非特許文献３の手法を用いることで、企業や家庭において、制御専用ネットワークを用意しなくとも、インバンド・セキュアチャネルを用いて、上記オープンフローに準拠したネットワークを構築することが可能となる。【０００９】
インバンド・セキュアチャネルは、オープンフローコントローラとして機能する制御装置と、オープンフロースイッチとして機能する転送ノードとの間で確立される。非特許文献３には、ソースルーティングを用いてインバンド・セキュアチャネルを構築することが記載されている。【００１０】
インバンド・セキュアチャネルの経路は、予め制御装置で把握されているネットワーク全体のトポロジー情報に基づいて計算された経路である。初期状態では、制御装置は物理的に隣接していない転送ノードとの通信を行うことができず、転送ノードの制御権を得ることもできない。したがって、制御装置は、ネットワーク全体のトポロジー情報を把握することができないという問題がある。【００１１】
非特許文献３では、かかる問題を解決するため、制御装置に隣接する転送ノードの制御権を得て、次にその転送ノードと隣接する転送ノードの制御権を得るという動作を繰り返すことで、最終的にすべての転送ノードの制御権を得てネットワーク全体のトポロジー情報を把握する方法が記載されている。【００１２】
しかし、非特許文献３の方式によると、逐次的なトポロジー把握を試みるため、すべての転送ノードの制御権を得るまでの時間が長くなり、ネットワーク上を行き交う制御情報の量が膨大となるおそれがある。また、かかる方式によると、転送ノードそのものや、転送ノード間の通信リンクの追加・削除、または障害などによってネットワークトポロジーに変化が生じた際、即時に変化に対応することが困難となる。さらに、即時に対応した場合、大量の制御情報によりネットワークに負荷がかかり、ネットワークの性能が低下するおそれもある。【００１３】
そこで、制御装置がネットワーク全体のトポロジーを把握するのに要する時間を短縮し、トポロジー把握に必要な制御情報の送受信負荷を低減することが要望される。本発明の目的は、かかる要望に寄与する通信システム、転送ノード、制御装置、および、制御方法を提供することにある。
【課題を解決するための手段】
【００１４】
本発明の第１の視点に係る通信システムは、
複数の転送ノードと前記複数の転送ノードを制御する制御装置から成る一群のノードを備えた通信システムであって、
前記複数の転送ノードは、前記一群のノードのうちの少なくとも一部のノードと自ノードとの接続関係を第１のトポロジー情報として保持するトポロジー保持部と、
前記第１のトポロジー情報を前記一群のノードのうちの自ノードに隣接するノードに通知するトポロジー通知部と、
前記第１のトポロジー情報を前記制御装置に通知するインバンド通信部と、を有し、
前記制御装置は、前記複数の転送ノードから通知された複数の前記第１のトポロジー情報を統合して第２のトポロジー情報を生成するトポロジー構成部と、
前記第２のトポロジー情報に基づいて前記制御装置から各転送ノードへの経路を求め、求めた経路に沿って前記各転送ノードを制御するための制御チャネルを確立するインバンド制御部と、を有する。【００１５】
本発明の第２の視点に係る転送ノードは、
制御装置によって制御される複数の転送ノードのうちの一の転送ノードであって、
前記制御装置と前記複数の転送ノードから成る一群のノードのうちの少なくとも一部のノードと自ノードとの接続関係を第１のトポロジー情報として保持するトポロジー保持部と、
前記第１のトポロジー情報を前記一群のノードのうちの自ノードに隣接するノードに通知するトポロジー通知部と、
前記第１のトポロジー情報を前記制御装置に通知するインバンド通信部と、備える。【００１６】
本発明の第３の視点に係る制御装置は、
複数の転送ノードを制御する制御装置であって、
前記複数の転送ノードは、前記複数の転送ノードと前記制御装置から成る一群のノードのうちの少なくとも一部のノードと自ノードとの接続関係を第１のトポロジー情報として保持し、前記第１のトポロジー情報を前記一群のノードのうちの自ノードに隣接するノードと前記制御装置に通知し、
前記制御装置は、前記複数の転送ノードから通知された複数の前記第１のトポロジー情報を統合して第２のトポロジー情報を生成するトポロジー構成部と、
前記第２のトポロジー情報に基づいて前記制御装置から各転送ノードへの経路を求め、求めた経路に沿って前記各転送ノードを制御するための制御チャネルを確立するインバンド制御部と、を備える。【００１７】
本発明の第４の視点に係る制御方法は、
複数の転送ノードを制御装置によって制御する制御方法であって、
前記複数の転送ノードが、前記複数の転送ノードと前記制御装置から成る一群のノードのうちの少なくとも一部のノードと自ノードとの接続関係を第１のトポロジー情報として保持する工程と、
前記第１のトポロジー情報を前記一群のノードのうちの自ノードに隣接するノードに通知する工程と、
前記第１のトポロジー情報を前記制御装置に通知する工程と、
前記制御装置が、前記複数の転送ノードから通知された複数の前記第１のトポロジー情報を統合して第２のトポロジー情報を生成する工程と、
前記第２のトポロジー情報に基づいて前記制御装置から各転送ノードへの経路を求める工程と、
求めた経路に沿って前記各転送ノードを制御するための制御チャネルを確立する工程と、を含む。【００１８】
本発明の第５の視点に係る制御方法は、
制御装置によって制御される複数の転送ノードのうちの一の転送ノードが、
前記制御装置と前記複数の転送ノードから成る一群のノードのうちの少なくとも一部のノードと自ノードとの接続関係を第１のトポロジー情報として保持する工程と、
前記第１のトポロジー情報を前記一群のノードのうちの自ノードに隣接するノードに通知する工程と、
前記第１のトポロジー情報を前記制御装置に通知する工程と、含む。
【発明の効果】
【００１９】
本発明に係る通信システム、転送ノード、制御装置、および、制御方法によれば、制御装置がネットワーク全体のトポロジーを把握するのに要する時間を短縮し、トポロジー把握に必要な制御情報の送受信負荷を低減することが可能になる。
【図面の簡単な説明】
【００２０】
【図１】一実施形態に係る通信システムの構成を一例として示すブロック図である。
【図２】第１の実施形態に係る通信システムの構成を一例として示すブロック図である。
【図３】第１の実施形態に係る通信システムの動作の一例について説明するための図である。
【図４】送信トポロジー情報および受信トポロジー情報の構成を一例として示す図である。
【図５】初期状態において制御装置および転送ノードが把握するトポロジー情報の一覧を示す図である。
【図６】初期状態において各転送ノード２０Ａ〜２０Ｃから送信される送信トポロジー情報３０Ａを示す図である。
【図７】制御装置１０Ａ、転送ノード２０Ａ〜２０Ｃが受信する受信トポロジー情報３０Ｂを示す図である。
【図８】トポロジー構成部が構成して保持するトポロジー情報を示す図である。
【図９】制御装置１０Ａが把握するトポロジー情報を示す図である。
【図１０】制御装置１０Ａが把握するトポロジー情報を示す図である。
【図１１】第２の実施形態に係る通信システムの構成を一例として示すブロック図である。
【図１２】第２の実施形態に係る通信システムの動作の一例について説明するための図である。
【発明を実施するための形態】
【００２１】
はじめに、一実施形態の概要について説明する。なお、この概要に付記する図面参照符号は、専ら理解を助けるための例示であり、本発明を図示の態様に限定することを意図するものではない。
【００２２】
図１は、一実施形態に係る通信システムの構成を例示する。図１を参照すると、通信システムは、複数の転送ノード（２０Ａ〜２０Ｄ）と複数の転送ノード（２０Ａ〜２０Ｄ）を制御する制御装置（１０Ａ）から成る一群のノードを備えている。複数の転送ノード（２０Ａ〜２０Ｄ）は、上記一群のノードのうちの少なくとも一部のノードと自ノードとの接続関係を第１のトポロジー情報として保持するトポロジー保持部（２１）と、第１のトポロジー情報を上記一群のノードのうちの自ノードに隣接するノードに通知するトポロジー通知部（２５）と、第１のトポロジー情報を制御装置（１０Ａ）に通知するインバンド通信部（２２）と、を有する。
【００２３】
制御装置（１０Ａ）は、複数の転送ノード（２０Ａ〜２０Ｄ）から通知された複数の第１のトポロジー情報を統合して第２のトポロジー情報を生成するトポロジー構成部（１１）と、第２のトポロジー情報に基づいて制御装置（１０Ａ）から各転送ノードへの経路を求め、求めた経路に沿って各転送ノードを制御するための制御チャネルを確立するインバンド制御部（１２）と、を有する。
【００２４】
トポロジー保持部（例えば、転送ノード２０Ａのトポロジー保持部２１）は、複数の転送ノード（２０Ａ〜２０Ｄ）のうちの自ノード（２０Ａ）に隣接するノード（２０Ｂ）から受信した第１のトポロジー情報に基づいて、自身が保持する第１のトポロジー情報を更新してもよい。また、トポロジー保持部（例えば、転送ノード２０Ａのトポロジー保持部２１）は、一群のノードのうちの自ノード（２０Ａ）からのホップ数が所定のホップ数（例えば、１ホップ）以内のノード（１０Ａ、２０Ｂ）と自ノード（２０Ａ）との接続関係を第１のトポロジー情報として保持するようにしてもよい。なお、トポロジー保持部（例えば、転送ノード２０Ａのトポロジー保持部２１）は、一群のノードのうちの自ノード（２０Ａ）からの物理的な距離が所定の距離以内、または、自ノード（２０Ａ）からの通信遅延が所定の時間以内のノードと自ノード（２０Ａ）との接続関係を第１のトポロジー情報として保持するようにしてもよい。
【００２５】
トポロジー通知部（例えば、転送ノード２０Ａのトポロジー通知部２５）は、第１のトポロジー情報を一群のノードのうちの自ノード（２０Ａ）に隣接するノード（１０Ａ、２０Ｂ）に通知する条件（送出タイミング条件）として、トポロジー保持部（２１）が保持する第１のトポロジー情報が更新されたこと、更新されてから所定の期間が経過したこと、前回の通知から所定の期間が経過したこと、または、これらの組み合わせのいずれかを用いるようにしてもよい。
【００２６】
かかる通信システムによると、背景技術に記載した関連技術（非特許文献３）と比較して、制御装置（１０Ａ）がネットワーク全体のトポロジーを把握するのに要する時間を短縮し、トポロジー把握に必要な制御情報の送受信負荷を低減することが可能になる。
【００２７】
また、制御装置（１０Ａ）は、確立した制御チャネルを介して、複数の転送ノード（２０Ａ〜２０Ｄ）に対して上記所定のホップ数（または、所定の距離、所定の時間）を指示する条件指示部（図１において非図示）を備えていてもよい。また、制御装置（１０Ａ）は、確立した制御チャネルを介して、複数の転送ノード（２０Ａ〜２０Ｄ）に対して上記条件（送信タイミング条件）を指示する条件指示部を備えていてもよい。
【００２８】
かかる通信システムによると、トポロジー状態の把握のためのパケット交換量の制御や、トポロジー変更があった場合の把握に係るまでの時間の制御を制御装置（１０Ａ）の側で集中管理することが可能となり、ネットワーク運用者のネットワーク運用ポリシーの反映が容易となる。
【００２９】
以下では、実施形態に基づいて、本発明に係る通信システムについてさらに詳細に説明する。
【００３０】
＜第１の実施形態＞
第１の実施形態に係る通信システムについて、図面を参照して詳細に説明する。図２は、本実施形態に係る通信システムの構成を一例として示すブロック図である。図２を参照すると、通信システムは、転送ノード２０Ａ〜２０Ｄと、転送ノード２０Ａ〜２０Ｄを制御する制御装置１０Ａを備えている。
【００３１】
図２は、通信システムが４つの転送ノード２０Ａ〜２０Ｄを備えている場合を例示する。また、図２は、制御装置１０Ａに２台の転送ノード２０Ａ、２０Ｃが接続されている場合を例示する。ただし、転送ノードの台数および転送ノードの接続関係は、図２に例示した態様に限定されない。制御装置１０Ａには少なくとも１台の転送ノードが接続されていればよく、制御装置１０Ａに接続される転送ノードの台数は１台であってもよいし、３台以上であってもよい。
【００３２】
制御装置１０Ａは、転送ノード２０Ａ〜２０Ｄ間の接続情報を把握してトポロジー情報を生成するトポロジー構成部１１と、転送ノード２０Ａ〜２０Ｄとのチャネルを確立し制御情報の送受信処理を行うインバンド制御部１２と、パケットの送受信や振分けを行うパケット処理部１３と、を備えている。
【００３３】
トポロジー構成部１１は、インバンド制御部１２を介して転送ノード２０Ａ〜２０Ｄが把握しているトポロジー情報を要求し、その返答としてトポロジー情報応答を受信する。また、トポロジー構成部１１は、受信したトポロジー情報応答に含まれる部分的なトポロジー情報を組み立てることでネットワーク全体のトポロジー情報を把握して保持する。さらに、トポロジー構成部１１は、パケット処理部１３から入力されたトポロジー情報を元にしてネットワーク全体のトポロジー情報を更新して保持する。また、トポロジー構成部１１は、インバンド制御部１２からの参照要求に応じて、保持しているトポロジー情報を返答する。
【００３４】
インバンド制御部１２は、トポロジー構成部１１において保持されるネットワーク全体のトポロジー情報を参照して、転送ノード２０Ａ〜２０Ｄの存在を把握する。また、インバンド制御部１２は、各転送ノードと制御装置１０Ａの間に確立されるチャネルの転送経路を計算し、各転送経路に沿って制御チャネルを確立する。
【００３５】
パケット処理部１３は、制御装置１０Ａに接続された転送ノード２０Ａ、２０Ｃに対してパケットを送受信し、送受信されるパケットのうちインバンド制御部１２に必要なパケットのみをインバンド制御部１２に対して振り分ける。また、パケット処理部１３は、トポロジー情報を受け取った場合、これを受信した通信ポート情報とともにトポロジー情報を構成してトポロジー構成部１１へ出力する。
【００３６】
転送ノード２０Ａ〜２０Ｄは、それぞれ、自身が知りうる周辺のトポロジー情報を保持するトポロジー保持部２１と、制御装置１０Ａとのチャネルを確立し制御情報の送受信処理を行うインバンド通信部２２と、パケットの送受信や振分けを行うパケット処理部２３と、トポロジー情報の情報量を定められた範囲に削減するトポロジーフィルタ部２４と、トポロジー情報を周辺の転送ノードへ通知するトポロジー通知部２５と、を備えている。
【００３７】
トポロジー保持部２１は、自ノード周辺のトポロジー情報を保持し、インバンド通信部２２およびトポロジー通知部２５からの要求に応じて、保持しているトポロジー情報を提供し、トポロジーフィルタ部２４から入力されるトポロジー情報と保持するトポロジー情報の結合および更新を行う。また、トポロジー保持部２１は、トポロジーの変更があった場合、その旨をトポロジー通知部２５へ通知する。初期状態では、トポロジー保持部２１は、自ノードの情報のみから成るトポロジー情報を保持する。
【００３８】
インバンド通信部２２は、制御装置１０Ａの制御に従って制御装置１０Ａとの間で制御チャネルを確立し、制御装置１０Ａの制御に従ってパケット処理部２３に他の転送ノードの制御チャネルを転送するように指示する。また、インバンド通信部２２は、パケット処理部２３を介して、制御装置１０Ａから受信するトポロジー情報要求に応じて、トポロジー保持部２１へトポロジー情報の照会を行う。さらに、インバンド通信部２２は、得られたトポロジー情報をトポロジー情報応答として制御装置１０Ａへパケット処理部２３を介して送信する。
【００３９】
パケット処理部２３は、他の転送ノードや制御装置１０Ａとパケットの送受信を行う。また、パケット処理部２３は、トポロジー情報を受け取った場合、これを受信した通信ポート情報とともにトポロジーフィルタ部２４へ出力する。さらに、パケット処理部２３は、制御装置１０Ａとの送受信パケットをインバンド通信部２２に入出力する。また、パケット処理部２３は、トポロジー通知部２５から入力されたトポロジー情報を転送ノード情報および送信に用いる通信ポート情報とともに送信する。さらに、パケット処理部２３は、インバンド通信部２２からの指示により、他の転送ノードの制御チャネルの転送を行う。
【００４０】
トポロジーフィルタ部２４は、パケット処理部２３から入力されたトポロジー情報の情報量を定められた範囲に削減してトポロジー保持部２１へ出力する。定められた範囲として、一例として、トポロジーフィルタ部２４は、自ノードを中心とする所定のホップ数内のノードであることをフィルタ条件として使用してもよい。このとき、トポロジーフィルタ部２４は、入力されたトポロジー情報を、自ノードを中心とする所定のホップ数以内ノードのトポロジーのみから成るトポロジーに削減する。ただし、トポロジーフィルタ部２４が作成して適用するフィルタ条件は、これに限定されない。フィルタ条件に応じて、トポロジー保持部２１において保持されるトポロジー情報の性質を決定することができる。
【００４１】
トポロジー通知部２５は、トポロジー保持部２１に保持されるトポロジー情報を取得し、周辺の転送ノードへ通知するようにパケット処理部２３に指示する。また、制御装置１０Ａとの制御チャネルが確立している場合、トポロジー通知部２５は、トポロジー保持部２１に保持されるトポロジー情報を制御装置１０Ａへ通知することもできる。トポロジー通知部２５がトポロジー情報を出力するタイミング（送信タイミング条件）として、トポロジー保持部２１が更新された直後としてもよいし、更新されてから一定期間更新がなかった場合としてもよい。また、更新の有無に依らず、トポロジー通知部２５は定期的にトポロジー情報を送信してもよい。この送出タイミング条件は任意に作成して適用でき、この送出タイミング条件に応じてトポロジー情報の把握を行うパケット総数やトポロジー情報把握の収束を制御することが可能となる。
【００４２】
以上説明したように、本実施形態に係る通信システムは、部分的なトポロジーの把握や制御情報の送受信処理を行う複数の転送ノード２０Ａ〜２０Ｄと、制御情報を用いて転送ノードを制御する制御装置１０Ａと、を備えている。ここで、制御装置１０Ａは、各転送ノード間の接続情報を把握し構成するトポロジー構成部１１と、各転送ノードについてそれぞれ制御情報の転送経路をトポロジー構成部１１の情報を元に決定し、各転送経路に従って制御チャネルを確立するインバンド制御部１２と、を有する。また、各転送ノードは、自身が知りうる周辺のトポロジー情報を保持するトポロジー保持部２１と、当該トポロジー情報を周辺の転送ノードへ通知するトポロジー通知部２５と、受信したトポロジー情報の情報量を定められた範囲に削減してトポロジー保持部２１へ登録するトポロジーフィルタ部２４と、制御装置１０Ａからの要求に応じて当該トポロジー情報を制御装置１０Ａへ返答するインバンド通信部２２と、を有する。
【００４３】
かかる通信システムによると、オープンフローに代表される集中制御型ネットワークを構築する場合に必要なネットワーク全体のトポロジーを把握するのに要する時間を短縮し、トポロジーの把握に必要な制御情報の送受信負荷を低減することが可能となる。
【００４４】
次に、本実施形態の通信システム（図１）の動作について、３つの転送ノード２０Ａ〜２０Ｃと制御装置１０Ａが直列につながっている場合を例として、具体的に説明する。
【００４５】
図３は、本実施形態に係る通信システムの動作を説明するための図である。図３を参照すると、通信システムは、制御装置１０Ａと、３つの転送ノード２０Ａ〜２０Ｃとが直列に接続されている。図３において、制御装置１０Ａと、３つの転送ノード２０Ａ〜２０Ｃとの間に付された符号＃１、＃２は、通信ポートの識別子を示す。
【００４６】
ここで、転送ノード２０Ａ〜２０Ｃが送信するパケットの内容について説明する。各転送ノードのパケット処理部２３は、トポロジー情報の送受信に際して、用いた通信ポート情報や送信元転送ノードの情報を含むパケットの入出力を行う。図４は、送信されるパケットに含まれる送信トポロジー情報３０Ａと、受信したパケットから構成される受信トポロジー情報３０Ｂに含まれる情報を示す。なお、送信トポロジー情報３０Ａおよび受信トポロジー情報３０Ｂにおける情報の並びの順序は、図４に示した態様に限定されない。また、送信トポロジー情報３０Ａおよび受信トポロジー情報３０Ｂは、図４に示す情報以外の他の情報を含んでいてもよい。
【００４７】
送信トポロジー情報３０Ａは、トポロジー情報の送信時に構成される。送信トポロジー情報３０Ａは、トポロジー情報３１Ａ、送信元転送ノード３２Ａ、および、送信元通信ポート３３Ａをそれぞれ表す情報を含む。一方、受信トポロジー情報３０Ｂは、トポロジー情報の受信時に構成される。受信トポロジー情報３０Ｂは、送信トポロジー情報３０Ａに含まれる要素に加えて、受信先通信ポート３４Ｂを表す情報を含む。
【００４８】
図５は、初期状態での制御装置１０Ａ、転送ノード２０Ａ〜２０Ｃが把握するトポロジー情報の一覧を示す図である。図５を参照すると、初期状態では、転送ノード２０Ａ〜２０Ｃのそれぞれのトポロジー保持部２１、および、制御装置１０Ａのトポロジー構成部１１は、いずれも自ノードを含むものの、他の転送ノードや制御装置１０Ａを含まないトポロジー情報を保持している。
【００４９】
転送ノード２０Ａ〜２０Ｃのトポロジー通知部２５は、それぞれ定期的な動作を開始し、トポロジー保持部２１にトポロジー情報を問い合わせて取得し、パケット処理部２３を介して取得したトポロジー情報を含む送信トポロジー情報３０Ａを含むパケットを構成する。トポロジー通知部２５は、構成したパケットを転送ノード２０Ａ〜２０Ｃおよび制御装置１０Ａのうちの自ノードに隣接するノードへ送信する。
【００５０】
図６は、初期状態において、各転送ノード２０Ａ、２０Ｂ、２０Ｃから送信される送信トポロジー情報３０Ａを示す。図６を参照すると、転送ノード２０Ａは、自身のみを含むトポロジー情報を含んだ送信トポロジー情報３０Ａを、通信ポート＃２について構成し、通信ポート＃Ａを含むパケット４０を通信ポート＃２から送信する。また、転送ノード２０Ａは、自身のみを含むトポロジー情報を含む送信トポロジー情報３０Ａを、通信ポート＃１について構成し、通信ポート＃１を含むパケット４１を通信ポート＃１から送信する。同様に、転送ノード２０Ｂも、パケット４２、４３を、それぞれ、通信ポート＃２、＃１から送信する。また、転送ノード２０Ｃも、パケット４４を通信ポート＃２から送信する。
【００５１】
制御装置１０Ａは、転送ノード２０Ａから送信されたパケット４０を受信する。パケット処理部１３は、受信したパケット４０を受信トポロジー情報３０Ｂとして構成する。
【００５２】
図７は、制御装置１０Ａおよび転送ノード２０Ａ〜２０Ｃが受信する受信トポロジー情報３０Ｂを示す。また、図８は、パケット４０〜４４を受信した後、制御装置１０Ａおよび転送ノード２０Ａ〜２０Ｃが把握するトポロジー情報の一覧を示す。
【００５３】
図７の１段目は、制御装置１０Ａが受信したパケット４０から構成された受信トポロジー情報３０Ｂを示す。図７の１段目を参照すると、送信元転送ノード３２Ｂは転送ノード２０Ａであり、送信元通信ポート３３Ｂは通信ポート＃２であり、受信先通信ポート３４Ｂは通信ポート＃１である。このとき、パケット処理部１３は、転送ノード２０Ａの通信ポート＃２と制御装置１０Ａの通信ポート＃１とが通信リンクにより接続されていることを把握し、これをトポロジー情報としてトポロジー構成部１１へ出力する。
【００５４】
トポロジー構成部１１はパケット処理部１３からのトポロジー情報の入力を受けて、図８に示すように、転送ノード２０Ａの通信ポート＃２と、制御装置１０Ａの通信ポート＃１が通信リンクにより接続されているトポロジー情報を構成して保持する。
【００５５】
同様に、転送ノード２０Ａは、転送ノード２０Ｂから送信されたパケット４２を受信する。パケット処理部２３は、受信したパケット４２を受信トポロジー情報３０Ｂとして構成する。図７の３段目は、受信されたパケット４２から構成された受信トポロジー情報３０Ｂを示す。図７の３段目を参照すると、送信元転送ノードは転送ノード２０Ｂであり、送信元通信ポートは通信ポート＃２であり、受信先通信ポートは通信ポート＃１である。このとき、転送ノード２０Ａのパケット処理部２３は、転送ノード２０Ｂの通信ポート＃２と転送ノード２０Ａの通信ポート＃１とが通信リンクにより接続されていることを把握し、これをトポロジー情報としてトポロジーフィルタ部２４へ出力する。
【００５６】
転送ノード２０Ａのトポロジーフィルタ部２４は、パケット処理部２３から入力されたトポロジー情報を指定されたフィルタ条件に基づいて加工する。ここでは、フィルタ条件として、自ノードに隣接する転送ノードまでのトポロジーを保持する条件が指定されているものとする。このとき、入力された前記トポロジー情報は、かかるフィルタ条件に収まるものである。したがって、トポロジーフィルタ部２４は、トポロジー情報を加工することなく、そのままトポロジー保持部２１に出力する。
【００５７】
転送ノード２０Ａのトポロジー保持部２１は、トポロジーフィルタ部２４からのトポロジー情報を受けると、図８に示すように、転送ノード２０Ｂの通信ポート＃２と、転送ノード２０Ａの通信ポート＃１が通信リンクにより接続されているトポロジー情報を構成して保持する。
【００５８】
転送ノード２０Ｂは、転送ノード２０Ａから送信されたパケット４１と、転送ノード２０Ｃから送信されたパケット４４を受信する。転送ノード２０Ｃは、転送ノード２０Ｂから送信されたパケット４３を受信する。転送ノード２０Ｂ、２０Ｃも、それぞれ、転送ノード２０Ａと同様に動作し、図８に示すように、トポロジー情報を構成して保持する。
【００５９】
制御装置１０Ａのトポロジー構成部１１は、トポロジー情報の更新により転送ノード２０Ａの存在を把握し、インバンド制御部１２に指示して、制御チャネルを確立する。制御装置１０Ａと転送ノード２０Ａの間の制御チャネルを確立する方法として、一例として、非特許文献３に記載された方法を使用することができる。ただし、制御チャネルを確立する方法は、かかる方法に限定されない。
【００６０】
トポロジー構成部１１は、転送ノード２０Ａとの間で確立された制御チャネルを用いて、転送ノード２０Ａに対して、トポロジー情報要求を行う。当該トポロジー情報要求は、インバンド制御部１２および確立された制御チャネルを介して転送ノード２０Ａのインバンド通信部２２へ入力される。
【００６１】
転送ノード２０Ａのインバンド通信部２２は、入力されたトポロジー情報要求に従って、トポロジー保持部２１に対してトポロジー情報を照会し、得られたトポロジー情報を含むトポロジー情報応答を返送する。当該トポロジー情報応答は、制御装置１０Ａと確立された制御チャネルを介して、制御装置１０Ａのインバンド制御部１２へ入力される。
【００６２】
制御装置１０Ａのインバンド制御部１２は、入力されたトポロジー情報応答に含まれるトポロジー情報をトポロジー構成部１１へ出力する。トポロジー構成部１１は、入力されたトポロジー情報と現在保持しているトポロジー情報とを結合し、より広い範囲のトポロジー情報を把握する。
【００６３】
図９は、制御装置１０Ａが把握するトポロジー情報を示す図である。図９を参照すると、この時点で、制御装置１０Ａは、制御装置１０Ａ、転送ノード２０Ａ、２０Ｂまでの範囲のトポロジー情報を把握できている。
【００６４】
同様に、制御装置１０Ａのトポロジー構成部１１は、トポロジー情報の更新により転送ノード２０Ｂの存在を把握する。次に、トポロジー構成部１１は、インバンド制御部１２に指示して、転送ノード２０Ｂの制御チャネルを確立し、トポロジー情報要求を送信する。これにより、トポロジー構成部１１は、転送ノード２０Ｂのトポロジー情報をトポロジー情報応答として受信し、現在保持しているトポロジー情報と結合し、ネットワーク全体のトポロジー情報を把握する。
【００６５】
図１０は、制御装置１０Ａが把握するトポロジー情報を示す図である。図１０を参照すると、この時点で、制御装置１０Ａは、ネットワーク全体のトポロジー情報を把握できている。
【００６６】
同様にして、制御装置１０Ａのトポロジー構成部１１は、トポロジー情報の更新により転送ノード２０Ｃの存在を把握する。次に、トポロジー構成部１１は、インバンド制御部１２に指示して、転送ノード２０Ｃの制御チャネルの確立を行う。
【００６７】
以上のようにして、制御装置１０Ａは、すべての転送ノード２０Ａ〜２０Ｃとの間で制御チャネルを確立することができる。
【００６８】
これ以降、トポロジーの変更が生じなければ、転送ノード２０Ａ、２０Ｃは、トポロジーフィルタ部２４においてフィルタ条件として設定された、自ノードに隣接する転送ノードまでのトポロジーを保持する条件により、隣接ノードまでのトポロジーが保持される状態を維持する。
【００６９】
本実施形態によれば、各転送ノードは、自ノードの隣接ノードまでのトポロジー情報の最新状態を維持することができる。これにより、ネットワーク中のある場所においてトポロジー変更があった場合に、その変更通知を行い、最新のトポロジー状態を把握するためのパケット交換の量が減り、ネットワーク全体の負荷を下げることができる。また、制御装置１０Ａは、トポロジーの変化があったことを制御チャネルを経由して把握することができ、かつ、その通知はトポロジー変更があった周辺の転送ノードからのものに限定される。したがって、制御装置１０Ａはトポロジーの変更を即座に把握することができ、かつ、パケット交換量の削減によりネットワーク全体の負荷をさらに下げることができる。
【００７０】
＜第２の実施形態＞
次に、第２の実施形態に係る通信システムについて、図面を参照して詳細に説明する。図１１は、本実施形態に係る通信システムの構成を一例として示すブロック図である。図１１を参照すると、本実施形態に係る通信システムは、第１の実施形態に係る通信システムと同様に、転送ノード６０Ａ〜６０Ｄと、転送ノード６０Ａ〜６０Ｄを制御する制御装置５０Ａを備えている。
【００７１】
制御装置５０Ａは、第１の実施形態の制御装置１０Ａ（図２）の構成に加えて、条件指示部５４をさらに備えている。
【００７２】
トポロジー構成部５１は、条件指示部５４からの参照要求に応じて、保持しているトポロジー情報を返答する以外は、第１の実施形態のトポロジー構成部１１と同様に動作する。
【００７３】
インバンド制御部５２およびパケット処理部５３は、それぞれ、第１の実施形態の制御装置１０Ａにおけるインバンド制御部１２およびパケット処理部１３と同様に動作する。
【００７４】
条件指示部５４は、トポロジー構成部５１において保持されるネットワーク全体のトポロジー情報を参照して、転送ノード６０Ａ〜６０Ｄの存在を把握する。また、条件指示部５４は、転送ノード６０Ａ〜６０Ｄのトポロジーフィルタ部６４に設定すべきフィルタ条件と、トポロジー通知部６５に設定すべき送出タイミング条件の一方または両方を、インバンド制御部５２によって確立される制御チャネルを通して、各転送ノード６０Ａ〜６０Ｄに指定する。
【００７５】
転送ノード６０Ａ〜６０Ｄは、第１の実施形態に係る転送ノード２０Ａ〜２０Ｄと同様の構成を備えている。
【００７６】
インバンド通信部６２は、制御装置５０Ａの条件指示部５４から指示されるフィルタ条件をトポロジーフィルタ部６４へ出力し、送出タイミング条件をトポロジー通知部６５へ出力する以外は、第１の実施形態におけるインバンド通信部２２と同様に動作する。
【００７７】
トポロジーフィルタ部６４は、インバンド通信部６２から入力されたフィルタ条件を適用する以外は、第１の実施形態におけるトポロジーフィルタ部２４と同様に動作する。
【００７８】
トポロジー通知部６５は、インバンド通信部６２から入力された送出タイミング条件を適用する以外は、第１の実施形態におけるトポロジー通知部２５と同様に動作する。
【００７９】
トポロジー保持部６１およびパケット処理部６３は、それぞれ、第１の実施形態におけるトポロジー保持部２１およびパケット処理部２３と同様に動作する。
【００８０】
次に、本実施形態の通信システム（図１１）の動作について、３つの転送ノード６０Ａ〜６０Ｃと制御装置５０Ａが直列につながっている場合を例として、具体的に説明する。
【００８１】
図１２は、本実施形態に係る通信システムの動作を説明するための図である。図１２を参照すると、通信システムは、制御装置５０Ａと、３つの転送ノード６０Ａ〜６０Ｃとが直列に接続されている。図１２において、制御装置５０Ａと、３つの転送ノード６０Ａ〜６０Ｃとの間に付された符号＃１、＃２は、通信ポートの識別子を示す。
【００８２】
図３ないし図１０を参照しつつ説明した第１の実施形態に係る通信システムの動作と同様にして、最終的に、制御装置５０Ａはすべての転送ノード６０Ａ〜６０Ｃとの制御チャネルを確立することができる。
【００８３】
制御装置５０Ａの条件指示部５４は、転送ノード６０Ａ〜６０Ｃのそれぞれに適切に設定されたフィルタ条件と送出タイミング条件を、インバンド制御部５２により確立された制御チャネルを介して、転送ノード６０Ａ〜６０Ｃのそれぞれに送信する。
【００８４】
転送ノード６０Ａのインバンド通信部６２は、制御チャネルを介して受信したフィルタ条件をトポロジーフィルタ部６４へ出力する。また、インバンド通信部６２は、制御チャネルを介して受信した送出タイミング条件をトポロジー通知部６５へ出力する。転送ノード６０Ａのトポロジーフィルタ部６４は、入力されたフィルタ条件を保持し、以降のトポロジー情報のフィルタとして適用する。転送ノード６０Ａのトポロジー通知部６５は、入力された送出タイミング条件を保持し、以降の周辺の転送ノードや制御装置５０Ａへのトポロジー通知のタイミング制御の条件として適用する。
【００８５】
同様に、転送ノード６０Ｂ、６０Ｃも、指定されたフィルタ条件および送出タイミング条件を保持して適用する。
【００８６】
本実施形態の通信システムによると、制御装置５０Ａは、ネットワーク中に存在する各転送ノードのフィルタ条件と送出タイミング条件を制御することができる。これにより、トポロジー状態の把握のためのパケット交換量の制御や、トポロジー変更があった場合の把握に係るまでの時間の制御を制御装置５０Ａの側で集中管理することができる。これにより、ネットワーク運用者のネットワーク運用ポリシーの反映が容易となる。
【００８７】
なお、本発明において、以下に付記として記載する形態が可能である。
［付記１］
上記第１の視点に係る通信システムのとおりである。
［付記２］
前記トポロジー保持部は、前記複数の転送ノードのうちの自ノードに隣接するノードから受信した前記第１のトポロジー情報に基づいて、自身が保持する前記第１のトポロジー情報を更新する、付記１に記載の通信システム。
［付記３］
前記トポロジー保持部は、前記一群のノードのうちの自ノードからのホップ数が所定のホップ数以内のノードと自ノードとの接続関係を前記第１のトポロジー情報として保持する、付記２に記載の通信システム。
［付記４］
前記トポロジー通知部は、前記第１のトポロジー情報を前記一群のノードのうちの自ノードに隣接するノードに通知する条件として、前記トポロジー保持部が保持する前記第１のトポロジー情報が更新されたこと、更新されてから所定の期間が経過したこと、前回の通知から所定の期間が経過したこと、または、これらの組み合わせのいずれかを用いる、付記２に記載の通信システム。
［付記５］
前記制御装置は、前記制御チャネルを介して、前記複数の転送ノードに対して前記所定のホップ数を指示する条件指示部をさらに有する、付記３に記載の通信システム。
［付記６］
前記制御装置は、前記制御チャネルを介して、前記複数の転送ノードに対して前記条件を指示する条件指示部をさらに有する、付記４に記載の通信システム。
［付記７］
上記第２の視点に係る転送ノードのとおりである。
［付記８］
前記トポロジー保持部は、前記複数の転送ノードのうちの自ノードに隣接するノードから受信した前記第１のトポロジー情報に基づいて、自身が保持する前記第１のトポロジー情報を更新する、付記７に記載の転送ノード。
［付記９］
前記トポロジー保持部は、前記一群のノードのうちの自ノードからのホップ数が所定のホップ数以内のノードと自ノードとの接続関係を前記第１のトポロジー情報として保持する、付記８に記載の転送ノード。
［付記１０］
前記トポロジー通知部は、前記第１のトポロジー情報を前記一群のノードのうちの自ノードに隣接するノードに通知する条件として、前記トポロジー保持部が保持する前記第１のトポロジー情報が更新されたこと、更新されてから所定の期間が経過したこと、前回の通知から所定の期間が経過したこと、または、これらの組み合わせのいずれかを用いる、付記８に記載の転送ノード。
［付記１１］
前記制御チャネルを介して、前記制御装置による前記所定のホップ数の指示を受ける、付記９に記載の転送ノード。
［付記１２］
前記制御チャネルを介して、前記制御装置によ前記条件の指示を受ける、付記１０に記載の転送ノード。
［付記１３］
上記第３の視点に係る制御装置のとおりである。
［付記１４］
前記複数の転送ノードは、前記複数の転送ノードのうちの自ノードに隣接するノードから受信した前記第１のトポロジー情報に基づいて、自身が保持する前記第１のトポロジー情報を更新する、付記１３に記載の制御装置。
［付記１５］
前記複数の転送ノードは、前記一群のノードのうちの自ノードからのホップ数が所定のホップ数以内のノードと自ノードとの接続関係を前記第１のトポロジー情報として保持する、付記１３に記載の制御装置。
［付記１６］
前記複数の転送ノードは、前記第１のトポロジー情報を前記一群のノードのうちの自ノードに隣接するノードに通知する条件として、前記トポロジー保持部が保持する前記第１のトポロジー情報が更新されたこと、更新されてから所定の期間が経過したこと、前回の通知から所定の期間が経過したこと、または、これらの組み合わせのいずれかを用いる、付記１４に記載の制御装置。
［付記１７］
前記制御チャネルを介して、前記複数の転送ノードに対して前記所定のホップ数を指示する条件指示部をさらに備える、付記１５に記載の制御装置。
［付記１８］
前記制御チャネルを介して、前記複数の転送ノードに対して前記条件を指示する条件指示部をさらに備える、付記１６に記載の制御装置。
［付記１９］
上記第４の視点に係る制御方法のとおりである。
［付記２０］
前記複数の転送ノードが、前記複数の転送ノードのうちの自ノードに隣接するノードから受信した前記第１のトポロジー情報に基づいて、自身が保持する前記第１のトポロジー情報を更新する工程を含む、付記１９に記載の制御方法。
［付記２１］
前記複数の転送ノードは、前記一群のノードのうちの自ノードからのホップ数が所定のホップ数以内のノードと自ノードとの接続関係を前記第１のトポロジー情報として保持する、付記２０に記載の制御方法。
［付記２２］
前記複数の転送ノードは、前記第１のトポロジー情報を前記一群のノードのうちの自ノードに隣接するノードに通知する条件として、前記トポロジー保持部が保持する前記第１のトポロジー情報が更新されたこと、更新されてから所定の期間が経過したこと、前回の通知から所定の期間が経過したこと、または、これらの組み合わせのいずれかを用いる、付記２０に記載の制御方法。
［付記２３］
上記第５の視点に係る制御方法のとおりである。
［付記２４］
複数の転送ノードを制御する制御装置が、
前記複数の転送ノードから通知された複数の第１のトポロジー情報を統合して第２のトポロジー情報を生成する工程と、
前記第２のトポロジー情報に基づいて前記制御装置から各転送ノードへの経路を求め、求めた経路に沿って前記各転送ノードを制御するための制御チャネルを確立する工程と、を含み、
前記複数の転送ノードは、前記複数の転送ノードと前記制御装置から成る一群のノードのうちの少なくとも一部のノードと自ノードとの接続関係を前記第１のトポロジー情報として保持し、前記第１のトポロジー情報を前記一群のノードのうちの自ノードに隣接するノードと前記制御装置に通知する、制御方法。
［付記２５］
制御装置によって制御される複数の転送ノードのうちの一の転送ノードに設けられたコンピュータに対して、
前記制御装置と前記複数の転送ノードから成る一群のノードのうちの少なくとも一部のノードと自ノードとの接続関係を第１のトポロジー情報として保持する処理と、
前記第１のトポロジー情報を前記一群のノードのうちの自ノードに隣接するノードに通知する処理と、
前記第１のトポロジー情報を前記制御装置に通知する処理と、を実行させる、プログラム。
［付記２６］
複数の転送ノードを制御する制御装置に設けられたコンピュータに対して、
前記複数の転送ノードから通知された複数の第１のトポロジー情報を統合して第２のトポロジー情報を生成する処理と、
前記第２のトポロジー情報に基づいて前記制御装置から各転送ノードへの経路を求め、求めた経路に沿って前記各転送ノードを制御するための制御チャネルを確立する処理と、を実行させ、
前記複数の転送ノードは、前記複数の転送ノードと前記制御装置から成る一群のノードのうちの少なくとも一部のノードと自ノードとの接続関係を前記第１のトポロジー情報として保持し、前記第１のトポロジー情報を前記一群のノードのうちの自ノードに隣接するノードと前記制御装置に通知する、プログラム。
［付記２７］
付記２５または２６に記載のプログラムを保持する、非一時的なコンピュータ可読記録媒体（non-transitory computer-readable storage medium）。
【００８８】
なお、上記の特許文献等の先行技術文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００８９】
１０Ａ、５０Ａ    制御装置
１１、５１    トポロジー構成部
１２、５２    インバンド制御部
１３、５３    パケット処理部
２０Ａ〜２０Ｄ、６０Ａ〜６０Ｄ    転送ノード
２１、６１    トポロジー保持部
２２、６２    インバンド通信部
２３、６３    パケット処理部
２４、６４    トポロジーフィルタ部
２５、６５    トポロジー通知部
３０Ａ    送信トポロジー情報
３０Ｂ    受信トポロジー情報
３１Ａ、３１Ｂ    トポロジー情報
３２Ａ、３２Ｂ    送信元転送ノード
３３Ａ、３３Ｂ    送信元通信ポート
３４Ｂ    受信先通信ポート
４０〜４４    パケット
５４    条件指示部
【図１】
2014136850.tif 000003
【図２】
2014136850.tif 000004
【図３】
2014136850.tif 000005
【図４】
2014136850.tif 000006
【図５】
2014136850.tif 000007
【図６】
2014136850.tif 000008
【図７】
2014136850.tif 000009
【図８】
2014136850.tif 000010
【図９】
2014136850.tif 000011
【図１０】
2014136850.tif 000012
【図１１】
2014136850.tif 000013
【図１２】
2014136850.tif 000014
【国際調査報告】
2014136850.tif 000015
2014136850.tif 000016
2014136850.tif 000017